(57)【特許請求の範囲】
【請求項１】
直径の異なるディスク記憶媒体をそれぞれ支持するための複数のディスク用凹部が同心位置に形成されたトレイを有するドライブ装置であって、前記トレイには、直径の大きなディスク用凹部の周縁部の複数箇所に設けられた大ディスク用支持爪と、直径の小さなディスク用凹部の周囲複数箇所に設けられた小ディスク用支持爪とを備え、前記小ディスク用支持爪は、前記直径の大きなディスク用凹部の円周複数箇所に設けられた格納溝と、前記格納溝内に支持され、先端部が前記直径の小さなディスク用凹部に支持される直径の小さなディスクの周縁部の表面上方に突出位置されるように弾性変形可能な可撓爪と、前記可撓爪が弾性変形されたときにその先端部が前記格納溝から前記直径の小さなディスクの周縁部の表面上方に突出位置された状態を保持するストッパとを備えることを特徴とするディスク記憶媒体ドライブ装置。
【請求項２】
前記可撓爪は基端部が前記トレイに固定された一端支持構造の弾性体で形成され、前記基端部を支点にして先端部が前記トレイの厚さ方向に弾性変形可能に構成されていることを特徴とする請求項１に記載のディスク記憶媒体ドライブ装置。
【請求項３】
前記可撓爪は弾性のある金属線材をＵ字型に曲げ形成した構成であり、両端の基端部を前記格納溝の外径側の端面に固定し、Ｕ字型をした先端部を前記格納溝から前記直径の小さなディスク用凹部の周縁部内に突出位置させていることを特徴とする請求項２に記載のディスク記憶媒体ドライブ装置。
【請求項４】
前記ストッパは、前記格納溝の両側面に対向するように突出された突片で構成され、前記可撓爪が弾性変形する際に前記ストッパを乗り越えてその弾性復帰が係止されるように構成したことを特徴とする請求項２または３に記載のディスク記憶媒体ドライブ装置。
【請求項５】
前記小ディスク用支持爪は、少なくとも前記直径の小さなディスク用凹部の下側でかつ周縁に沿った２箇所に配設されることを特徴とする請求項１ないし４のいずれかに記載のディスク記憶媒体ドライブ装置。
【請求項６】
直径の大きなディスク用凹部は１２ｃｍディスク用凹部であり、直径の小さなディスク用凹部は８ｃｍディスク用凹部である請求項１ないし５のいずれかに記載のディスク記憶媒体ドライブ装置。
【発明の詳細な説明】
【０００１】
【発明の属する技術分野】
本発明はＣＤ−ＲＯＭ、ＤＶＤ−ＲＯＭを始めとするディスク記憶媒体を駆動するためのドライブ装置に関し、特に直径の異なる複数種のディスク記憶媒体を垂直面内で回転駆動する、所謂縦置き動作対応のドライブ装置に関するものである。
【０００２】
【従来の技術】
ＣＤ−ＲＯＭやＤＶＤ−ＲＯＭを始めとするディスク記憶媒体として、直径が１２ｃｍのディスク記憶媒体（以下、１２ｃｍディスクと称する）と、直径が８ｃｍのディスク記憶媒体（以下、８ｃｍディスクと称する）が提案されており、ディスクを駆動するためのドライブ装置においても、これらの直径の異なるディスクを共に駆動することが可能な兼用型のドライブ装置が提案されている。このようなドライブ装置として、図６に示すように、ドライブ装置本体１に対して出没可能で、ディスク記憶媒体を支持するためのトレイ３に１２ｃｍディスクに対応した円形の１２ｃｍディスク用凹部４を設け、さらにその１２ｃｍディスク用凹部４の底面にさらに円形に凹設した８ｃｍディスク用凹部５を設けている。また、両凹部４，５の中心からドライブ装置本体１に向けてヘッド・スピンドルモータ通過溝６が設けられている。そして、ドライブ装置本体１内に１２ｃｍディスクを装填する際には、当該１２ｃｍディスクを１２ｃｍディスク用凹部４内に載置することにより、ドライブ装置本体１の内部に設けられた図外のスピンドルモータの回転軸が１２ｃｍディスクの中心穴に嵌合し、当該ディスクを回転駆動することが可能になる。同様に、８ｃｍディスクを装填する際には、８ｃｍディスク用凹部５内に載置すれば、８ｃｍディスクを回転駆動することが可能になる。
【０００３】
ところで、近年のドライブ装置では、設置占有スペースを低減する目的で、ディスクを垂直面内で回転駆動する、所謂縦置き方式のドライブ装置が提供されている。このような縦置き方式のドライブ装置では、前述した構成のトレイ３の各凹部４，５に対して前述のようにディスクを装填しようとすると、ディスクが垂直方向に倒れ、あるいはトレイ３の各凹部４，５内から滑り落ちる等して、当該凹部４，５内にディスク記憶媒体を支持させることができなくなる。そのため、図６に示したように、１２ｃｍディスク用凹部４の周縁の円周複数箇所、この場合には上下の各２箇所の合計４箇所に、内径方向に突出したディスク支持爪７を設け、このディスク支持爪７によって１２ｃｍディスクの倒れ、滑り落ちを防止している。
【０００４】
しかしながら、この構成では、８ｃｍディスク用凹部５の周縁にはディスク支持爪が設けられていないため、８ｃｍディスクをトレイ３に装填、支持させることは困難になる。これは、８ｃｍディスク用凹部５の周縁に同様のディスク支持爪を配設すると、１２ｃｍディスクを１２ｃｍディスク用凹部４内に装填させる際の邪魔になるためである。このような問題に対する簡易な対策としては、８ｃｍディスクを使用する際には、外径寸法が１２ｃｍディスクと同様に形成されたアダプタを用意し、このアダプタに８ｃｍディスクを支持させた上で、当該アダプタを１２ｃｍディスク用凹部内に装填することが行われている。しかしながら、これでは使用者にアダプタを別途購入して貰わざるを得ず、不経済であった。
【０００５】
一方、特開２０００−３２２８０３公報では、１２ｃｍディスク用凹部の周縁部に設けたディスク支持爪をトレイ面に沿って回動可能な構成とした技術が提案されている。当該ディスク支持爪の回動位置を調整することで、ディスク支持爪の先端部が通常の１２ｃｍディスク用凹部の周縁位置から８ｃｍディスク用凹部の周縁位置まで内径方向に突出位置させることが可能となり、この状態において当該ディスク支持爪によって８ｃｍディスク用凹部内に装填した８ｃｍディスクを支持することを可能にしたものである。
【０００６】
【発明が解決しようとする課題】
この公報に記載の技術では、ディスク支持爪をトレイ面に沿って、すなわち垂直面に沿って回動し、かつ回動した位置に保持させておく必要があるため、この回動位置を保持させるための構造が複雑になるという問題がある。すなわち、トレイとは別に、ディスク支持爪、これを支持する回転腕、回転腕を支持する回転軸等が構成部品として必要であり、また、これらを組み付ける作業が必要である。通常では、ディスク支持爪を回動支持する回動軸における摩擦力を利用してディスク支持爪の回動位置を保持させる構成がとられるが、摩擦力が大きくなるように設計、製造すると、ディスク支持爪を回動位置させるための操作性が悪く、ディスク支持爪を所望の位置に設定することが困難になるとともに、操作時にトレイやディスク支持爪に無理な力が加わってトレイやディスク支持爪を破損するおそれがある。逆に摩擦力が小さくなるように設計、製造すると、繰り返し使用に伴う磨耗等によってディスク支持爪が重力によって下方に回動してしまい、トレイの下側のディスク支持爪によるディスクの支持機能が低下され、あるいはトレイの上側のディスク支持爪が１２ｃｍディスクの表面上にまで回動してしまい、１２ｃｍディスクを着脱する際の邪魔になり、着脱操作が面倒なものになるという問題が生じる。
【０００７】
本発明の目的は、操作が容易で、かつディスク支持機能の信頼性が高いディスク支持機構を備えたディスク記憶媒体ドライブ装置を提供するものである。
【０００８】
【課題を解決するための手段】
本発明のディスク記憶媒体ドライブ装置は、直径の異なるディスク記憶媒体をそれぞれ支持するための複数のディスク用凹部が同心位置に形成されたトレイには、直径の大きなディスク用凹部の周縁部の複数箇所に設けられた大ディスク用支持爪と、直径の小さなディスク用凹部の周囲複数箇所に設けられた小ディスク用支持爪とを備え、前記小ディスク用支持爪は、前記直径の大きなディスク用凹部の円周複数箇所に設けられた格納溝と、前記格納溝内に支持され、先端部が前記直径の小さなディスク用凹部に支持される直径の小さなディスクの周縁部の表面上方に突出位置されるように弾性変形可能な可撓爪と、前記可撓爪が弾性変形されたときにその先端部が前記格納溝から前記直径の小さなディスクの周縁部の表面上方に突出位置された状態を保持するストッパとを備えることを特徴としている。
【０００９】
ここで、前記可撓爪は基端部が前記トレイに固定された一端支持構造の弾性体で形成され、前記基端部を支点にして先端部が前記トレイの厚さ方向に弾性変形可能に構成される。例えば、前記可撓爪は弾性のある金属線材をＵ字型に曲げ形成した構成であり、両端の基端部を前記格納溝の外径側の端面に固定し、Ｕ字型をした先端部を前記格納溝から前記直径の小さなディスク用凹部の周縁部内に突出位置させた構成とする。また、前記ストッパは、前記格納溝の両側面に対向するように突出された突片で構成され、前記可撓爪が弾性変形する際に前記ストッパを乗り越えてその弾性復帰が係止されるように構成される。
【００１０】
本発明によれば、ドライブ装置に直径の小さいディスクを装填する際には、指等により下側の小ディスク用支持爪の可撓爪の先端部を曲げ起こして弾性変形する。可撓爪は基端部を支点にして弾性変形され、中間部がストッパを乗り越えて可撓爪の先端部は直径の小さいディスク用凹部に支持される直径の小さなディスクの周縁部の表面上方に突出位置される。したがって、この可撓爪を利用して直径の小さなディスクをトレイに対して装填すれば、ディスクを垂直方向に装填する縦置き方式のドライブ装置の場合でも、可撓爪によって直径の小さなディスクが当該ディスク用凹部から滑り落ちることが防止される。また、上側の可撓爪を同様に曲げ起こすことにより、ディスクを垂直方向に装填する縦置き方式のドライブ装置の場合でも、直径の小さなディスクの垂直方向の倒れを防止することも可能になり、直径の小さなディスクをトレイに安定に支持することが可能になる。
【００１１】
【発明の実施の形態】
次に、本発明の実施形態を図面を参照して説明する。図１は本発明のドライブ装置を縦置き方式のトレイローディング式ドライブ装置に適用した実施形態の外観斜視図である。トレイローディング式ドライブ装置は、ドライブ装置本体１に設けた垂直方向に細長い開口部２を通してトレイ３を出没可能な構成としたものであり、トレイ３を突出した状態で円形をした図外のディスク記憶媒体をトレイ３に対して着脱し、トレイ３をドライブ装置本体の開口部２内に引き込んだ状態で、当該トレイ３に支持したディスク記憶媒体を回転駆動する構成のものである。なお、このようなトレイ３を出没させるためのトレイ駆動機構、およびドライブ装置本体１内におけるディスク記憶媒体の回転駆動機構についての図示及び説明はここでは省略する。
【００１２】
前記トレイ３は、前述したように垂直面内で延長された板状部材として形成されており、例えば、樹脂成形によって形成されている。前記トレイ３の図示左側の一側面側（以下、表面側と称する）から見た図を図２に示すように、表面側には、１２ｃｍディスクが収納されるのに十分な径寸法と深さ寸法の１２ｃｍディスク用凹部４が凹設され、さらにこの１２ｃｍディスク用凹部４の内底面には、８ｃｍディスクが収納されるのに十分な径寸法と深さ寸法の８ｃｍディスク用凹部５が同心状態に凹設されている。また、前記トレイ３のドライブ装置本体１側の端部から前記各ディスク用凹部４，５の中心領域にまで、ドライブ装置本体１内に設けられている図外の記録ヘッドやスピンドルモータを通過させるためのヘッド・スピンドルモータ通過用溝６が切り欠き形成されている。
【００１３】
また、前記トレイ３には、前記１２ｃｍディスク用凹部４の周縁部の複数箇所、ここでは下側の２箇所と上側の２箇所の合計４箇所において、内径方向に短い寸法で突出した大ディスク用支持爪７がトレイ３と一体に形成されている。また、前記各凹部４，５の底面の円周４箇所には、それぞれ支持するディスクを保護するための円形をした保護用突起８が設けられている。さらに、前記４つの大ディスク用支持爪７とは異なる円周位置、ここでは上下の各２個の大ディスク用支持爪７に挟まれる箇所の上側と下側の各２箇所の合計４箇所において、小ディスク用支持爪９が配設されている。すなわち、図３（ａ），（ｂ）に要部の斜視図と断面図を示すように、前記１２ｃｍディスク用凹部４の内底面には径方向の格納溝１０が形成されている。前記４つの格納溝１０の深さは、少なくとも前記８ｃｍディスク用凹部５の底面と同じになるように形成されるが、この実施形態ではそれよりも若干深く形成されており、そのため格納溝１０の底面は８ｃｍディスク用凹部５の周縁部にわたる領域にまで浅溝部１１として形成されている。
【００１４】
そして、前記格納溝１０の円周方向に対向されている両側面の内径寄りの位置で前記１２ｃｍディスク用凹部４の底面に近い箇所には、それぞれ舌片状をした一対のストッパ１２が対向する方向に向けて微小寸法で突出形成されている。また、前記格納溝１０の内部には、弾性を有する金属線材をＵ字型に曲げ加工した可撓爪１３が固定支持されている。前記可撓爪１３は前記ストッパ１２よりも８ｃｍディスク用凹部５の底面に近い位置において、Ｕ字型に沿う面が前記８ｃｍディスク用凹部５の内底面に沿うように向けられ、かつ、Ｕ字型をした２つの基端部１３ａが前記格納溝１０の外径方向の端面に埋設された状態で固定されている。また、前記可撓爪１３のＵ字型の先端部１３ｂは、前記格納溝１０から内径方向に突出され、前記８ｃｍディスク用凹部５の周縁部内に位置されている。なお、前記可撓爪１３の幅寸法は前記対をなすストッパ１２の対向間隔よりも幾分大きく形成されている。
【００１５】
以上の構成によれば、ドライブ装置本体１に１２ｃｍディスクを装填する際には、図外のトレイ駆動機構を動作してトレイ３をドライブ装置本体１から引き出した上で、１２ｃｍディスク用凹部４に１２ｃｍディスクを装填する。このとき、図５（ａ）に図２のＡ−Ａ１線断面図を示すように、１２ｃｍディスク用凹部４の周縁部に設けられている大ディスク用支持爪７によって１２ｃｍディスク１００の下側の周縁部及び上側の周縁部を支持することで、１２ｃｍディスク１００が垂直方向に倒れ、あるいは１２ｃｍディスク用凹部４から滑り落ちることが防止される。また、小ディスク用支持爪９の可撓爪１３は格納溝内にあるため、１２ｃｍディスク１００は可撓爪１３と干渉することはなく、１２ｃｍディスク用凹部４内において安定に支持されることになる。
【００１６】
一方、ドライブ装置本体１に８ｃｍディスクを装填する際には、同様にトレイ３をドライブ装置本体１から引き出した上で、小ディスク用支持爪９を利用する。すなわち、図４（ａ），（ｂ）に斜視図と断面図を示すように、小ディスク用支持爪９の可撓爪１３のＵ字型の先端部１３ｂを指等で引っかけて、トレイ３の表面側に向けて曲げ変形する。これにより、可撓爪１３は基端部１３ａを支点にして湾曲状態に弾性変形され、中間部がストッパ１２を乗り越え、可撓爪１３の先端部１３ｂは８ｃｍディスク用凹部５の周縁部の表面上に突出位置される。その後、指を可撓爪１３から離しても、可撓爪１３はストッパ１３により弾性復帰が係止され、前記した状態が保持される。したがって、この状態の可撓爪１３を利用して８ｃｍディスクを装填すれば、図５（ｂ）に図２のＡ−Ａ２線断面図を示すように、可撓爪１３によって８ｃｍディスク２００が８ｃｍディスク用凹部５内に装填され、この状態では８ｃｍディスク用凹部５から滑り落ちることが防止される。また、上側の２つの小ディスク用支持爪９の各可撓爪１３により、８ｃｍディスク２００の垂直方向の倒れを防止することが可能になる。これにより、８ｃｍディスク２００は８ｃｍディスク用凹部５内において安定に支持されることになる。
【００１７】
なお、８ｃｍディスクを使用しない場合には、可撓爪１３の先端部を格納溝１０の内部に向けて指等で押圧すると、可撓爪１３はストッパ１２を乗り越えて弾性復帰され、図３に示した通常状態に戻される。これにより、図５（ａ）のように、再び１２ｃｍディスクの装填、支持が可能になる。このように、本実施形態のトレイ構造では、８ｃｍディスクを使用する際には、可撓爪１３の一部、あるいは全体を弾性変形させて曲げ起こすのみでよく、また、可撓爪１３はストッパ１２により曲げ起こされた状態が保持されて８ｃｍディスクを確実に支持することが可能になる。そのため、ディスクの着脱に際しての操作が簡略化できるとともに、従来技術のような複雑な回転構造は不要になり、設計、製造が容易になる。特に、トレイ３を樹脂成形により製造する場合には、格納溝１０及びストッパ１２は金型の一部を設計変形するだけでトレイ３と一体に形成することができ、その上でトレイ３に可撓爪１３を組み付けるのみでよく、部品点数が極めて少ない上に、製造が極めて容易なものになる。また、従来技術のような磨耗等による信頼性の低下が生じることは殆どなく、長期間にわたって安定した支持を行うことが可能になる。
【００１８】
ここで、前記実施形態では、直径の異なるディスク記憶媒体として１２ｃｍと８ｃｍの例を示したが、本発明は、異なる直径のディスク記憶媒体を装填可能なドライブ装置であれば、前記した直径寸法のディスク記憶媒体に限られるものでないことは明らかである。また、ディスク記憶媒体の縦置き時にディスク記憶媒体のバランスが取れ、支持さえ出来れば、前記小ディスク用支持爪は必ずしも４個設ける必要はない。また、本実施形態では、可撓爪の構成として、金属線材をＵ字型に曲げ加工しているが、板ばね、樹脂、その他の形状復元能力を持った弾性ある材料であれば金属材に限られるものではない。また、可撓爪の形状もＵ字型に限られるものではなく、ストッパの構造も可撓爪の変形状態を保持可能な構造であれば前記実施形態に限られるものではない。
【００１９】
また、浅溝部１１の深さを可撓爪１３の径寸法よりも深く形成し、可撓爪１３を浅溝部１１内に完全に収納可能な構成とすれば、４個の小ディスク用支持爪９を選択的に使用してディスク支持を行う場合でも、８ｃｍディスク用凹部５内に８ｃｍディスク２００を装填したときに、可撓爪１３が８ｃｍディスクと干渉することはない。
【００２０】
【発明の効果】
以上説明したように本発明は、ディスクを支持するための凹部を有するトレイに小ディスク用支持爪を設けており、この小ディスク用支持爪は、直径の大きなディスク用凹部の円周複数箇所に設けられた格納溝内に、先端部が直径の小さなディスク用凹部に支持される直径の小さなディスクの周縁部内に突出された弾性変形可能な可撓爪と、可撓爪の先端部が直径の小さなディスクの周縁部の表面上に突出位置された状態を保持するストッパを備えているので、直径の大きなディスク記憶媒体を支持することができるとともに、小ディスク用支持爪を利用して直径の小さなディスク記憶媒体を支持することも可能になる。これにより、ディスクを垂直方向に装填する縦置き方式のドライブ装置においても、直径の異なる複数種のディスク記録媒体をアダプタを必要とせずに縦置き状態で装填可能にするとともに、小ディスク用支持爪を構成するための部品点数を低減するとともに、構造が簡単で金型設計で対応でき、かつ組立性を改善することが可能になり、さらに、経時的な信頼性を向上することが可能になる。
【図面の簡単な説明】
【図１】本発明のドライブ装置のトレイの外観斜視図である。
【図２】図１のトレイを一側面側（表面側）から見た図である。
【図３】小ディスク用支持爪の詳細構造を示す斜視図と断面図である。
【図４】小ディスク用支持爪の動作時の詳細構造を示す斜視図と断面図である。
【図５】１２ｃｍディスクと８ｃｍディスクを支持した状態を示す断面図であり、それぞれ図２のＡ−Ａ１，Ａ−Ａ２の線に沿う図である。
【図６】従来の縦置き方式のドライブ装置のトレイの外観斜視図である。
【符号の説明】
１  ドライブ装置本体
３  トレイ
４  １２ｃｍディスク用凹部
５  ８ｃｍディスク用凹部
６  ヘッド・スピンドルモータ通過溝
７  大ディスク用支持爪
８  保護用突起
９  小ディスク用支持爪
１０  格納溝
１１  浅溝部
１２  ストッパ
１３  可撓爪
【図１】
0003591466.tif 000002
【図２】
0003591466.tif 000003
【図３】
0003591466.tif 000004
【図４】
0003591466.tif 000005
【図５】
0003591466.tif 000006
【図６】
0003591466.tif 000007